Podtech/llm-jp-corpus-v4-ja_patent huggingface dataset:
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
遊技媒体が転動流下する遊技盤の前面を覆う透明板ユニットと、
電子部品が実装された制御基板を内装する装飾部材と、を備えた遊技機であって、
前記透明板ユニットは、
第１の透明板と、
第２の透明板と、
前記第１の透明板と前記第２の透明板との間に所定の空間を配した状態で前記第１の透明板と第２の透明板とを保持する透明板保持枠と、を備え、
前記透明板保持枠は、前記所定の空間と連通して設けられる連通孔を有し、
前記電子部品は、少なくとも発光手段を含み、
前記装飾部材は、絶縁体で形成され前記発光手段から発光された光を所定方向へ導くレンズ部材を含み、
前記発光手段と電気的に接続されるコネクタを備え、
前記コネクタは、
外部からの配線と電気的に接続するハーネス接続部と、
前記ハーネス接続部と前記電子部品とを電気的に接続する端子部と、を含み、
前記レンズ部材は、前記制御基板の外部から前記端子部に対し静電気を放電する部材との沿面距離を取るためのコネクタカバーを兼ねていることを特徴とする遊技機。
【手続補正２】
【補正対象書類名】明細書
【補正対象項目名】０００１
【補正方法】変更
【補正の内容】
【０００１】
本発明は、遊技盤の前面を覆う透明板ユニットを有する遊技機、及び静電気がコネクタの端子に直接放電されることを防止する遊技機に関する。
【手続補正３】
【補正対象書類名】明細書
【補正対象項目名】０００２
【補正方法】変更
【補正の内容】
【０００２】
従来から遊技機としてパチンコ機やパチスロ機などの遊技機が知られている（特許文献１参照。）。このような遊技機では、遊技盤の前面にガラスなどの透明板を備えることで、遊技盤を転動流下する遊技球が、遊技機外部に飛び出さないようにしている。
【手続補正４】
【補正対象書類名】明細書
【補正対象項目名】０００３
【補正方法】変更
【補正の内容】
【０００３】
また、装飾部材にメッキ部材を用いることで遊技機全体を煌びやかにして装飾効果を高めることとした場合、このメッキ部材は静電気が帯電し易い。
【手続補正５】
【補正対象書類名】明細書
【補正対象項目名】０００５
【補正方法】変更
【補正の内容】
【０００５】
しかしながら、ガラスなどの透明板を備えると、例えば、透明板保持枠に対して、透明板を前後方向に所定の空間を有して接着されることによって構成されている場合、空気の流通経路が遮断されることから空間内に湿気が溜まるため乾燥剤室や乾燥剤を備える必要が生じ透明板ユニット全体の大型化を招く虞があった。
【手続補正６】
【補正対象書類名】明細書
【補正対象項目名】０００６
【補正方法】変更
【補正の内容】
【０００６】
また、このような静電気を帯電したメッキ部材から、制御基板などに設けられたコネクタの端子に静電気が直接放電されると、制御基板に実装される電子部品が破損してしまう虞がある。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明は、この問題を解決するためになされており、その目的は、透明板ユニットの大型化を招くことなく低コストで両透明板の間の空間の湿気を有効に除去することが可能な透明板ユニットを備えた遊技機、及び絶縁材で構成されたレンズ部材にコネクタカバーを一体に設けたため美観を損なうことなくコネクタの端子への静電気の直接放電を防止し、コネクタ専用のカバーを別途用意することがなく、製造コスト・作業コストなどの低廉化を図る遊技機を提供することにある。
【手続補正９】
【補正対象書類名】明細書
【補正対象項目名】０００９
【補正方法】変更
【補正の内容】
【０００９】
このような目的を達成するために、本発明は、遊技媒体が転動流下する遊技盤の前面を覆う透明板ユニット７と、
電子部品が実装された制御基板を内装する装飾部材と、を備えた遊技機であって、
前記透明板ユニット７は、
第１の透明板１００と、
第２の透明板１０１と、
前記第１の透明板１００と前記第２の透明板１０１との間に所定の空間１０２を配した状態で前記第１の透明板１００と前記第２の透明板１０１とを保持する透明板保持枠１０３と、を備え、
前記透明板保持枠１０３の上面部には、前記所定の空間１０２と連通して設けられる連通孔１０４を有し、
前記電子部品は、少なくとも発光手段が含み、
前記装飾部材（例えば左側装飾部材１６）は、絶縁体で形成され前記発光手段から発光された光を所定方向へと導くレンズ部材（例えば左導光レンズ３０２）を含み、
前記発光手段と電気的に接続されるコネクタ３０１を備え、
前記コネクタ３０１は、
外部からの配線と電気的に接続するハーネス接続部と、
前記ハーネス接続部と前記電子部品とを電気的に接続する端子部３０１ａと、を含み、
前記レンズ部材は、前記制御基板の外部から前記端子部に対し静電気を放電する部材との沿面距離を取るためのコネクタカバー３０３を兼ねている。
【手続補正１０】
【補正対象書類名】明細書
【補正対象項目名】００１１
【補正方法】変更
【補正の内容】
【００１１】
本発明によれば、透明板ユニットの大型化を招くことなく低コストで両透明板の間の空間の湿気を有効に除去することが可能な透明板ユニットを備えた遊技機、及び絶縁材で構成されたレンズ部材にコネクタカバーを一体に設けたため美観を損なうことなくコネクタの端子への静電気の直接放電を防止し、コネクタ専用のカバーを別途用意することがなく、製造コスト・作業コストなどの低廉化を図る遊技機を提供し得る。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
所定条件に基づいて移行し、遊技者にとって有利な遊技状態である有利遊技状態である場合及び前記有利遊技状態でない場合に共通して実行可能であり、複数種類の演出状態からなる共通演出状態と、
有利遊技状態であることが確定する有利遊技確定演出状態と、
演出状態を制御する演出状態制御手段と、
を備え、
前記演出状態制御手段は、前記共通演出実行中に電断が発生した後の電断復帰時に共通演出のうち一の演出状態を実行し、前記有利遊技確定演出状態実行中に電断が発生した後の電断復帰時に電断発生前に実行していた前記有利遊技確定演出状態を実行することを特徴とする遊技機。
【請求項２】
通常遊技状態と、通常遊技状態よりも遊技者にとって有利な第１の有利遊技状態と、第１の有利遊技状態よりも遊技者にとって有利な第２の有利遊技状態とを含む遊技状態を所定条件に基づいて移行させる遊技状態移行手投と、
演出状態を制御する演出状態制御手段と、
電断が発生したときに前記演出状態制御手段により実行されていた演出状態を記憶する記憶手段と、
を備え、
前記演出状態制御手段により制御される演出状態として、前記第２の有利遊技状態であることが確定する有利遊技確定演出状態と、前記通常遊技状態であるか前記第１の有利遊技状態であるかを確定的に報知しない複数種類の共通演出状態と、を含み、
前記演出状態制御手段は、電断が発生した後の電断復帰時において、前記記憶手段に前記共通演出状態中である旨の記憶がある場合又は前記記憶手段に記憶された演出状態が存在しない場合に前記複数種類の共通演出状態のうち一の演出状態を実行し、前記記憶手段に前記有利遊技確定演出状態中である旨の記憶がある場合に電断発生前に実行していた前記有利遊技確定演出状態を実行することを特徴とする遊技機。
【手続補正２】
【補正対象書類名】明細書
【補正対象項目名】０００９
【補正方法】変更
【補正の内容】
【０００９】
所定条件に基づいて移行し、遊技者にとって有利な遊技状態である有利遊技状態である場合及び前記有利遊技状態でない場合に共通して実行可能であり、複数種類の演出状態からなる共通演出状態と、
有利遊技状態であることが確定する有利遊技確定演出状態と、
演出状態を制御する演出状態制御手段と、
を備え、
前記演出状態制御手段は、前記共通演出実行中に電断が発生した後の電断復帰時に共通演出のうち一の演出状態を実行し、前記有利遊技確定演出状態実行中に電断が発生した後の電断復帰時に電断発生前に実行していた前記有利遊技確定演出状態を実行することを特徴とする遊技機。
通常遊技状態と、通常遊技状態よりも遊技者にとって有利な第１の有利遊技状態と、第１の有利遊技状態よりも遊技者にとって有利な第２の有利遊技状態とを含む遊技状態を所定条件に基づいて移行させる遊技状態移行手投と、
演出状態を制御する演出状態制御手段と、
電断が発生したときに前記演出状態制御手段により実行されていた演出状態を記憶する記憶手段と、
を備え、
前記演出状態制御手段により制御される演出状態として、前記第２の有利遊技状態であることが確定する有利遊技確定演出状態と、前記通常遊技状態であるか前記第１の有利遊技状態であるかを確定的に報知しない複数種類の共通演出状態と、を含み、
前記演出状態制御手段は、電断が発生した後の電断復帰時において、前記記憶手段に前記共通演出状態中である旨の記憶がある場合又は前記記憶手段に記憶された演出状態が存在しない場合に前記複数種類の共通演出状態のうち一の演出状態を実行し、前記記憶手段に前記有利遊技確定演出状態中である旨の記憶がある場合に電断発生前に実行していた前記有利遊技確定演出状態を実行することを特徴とする遊技機。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
図柄変動にて所定の表示態様が現れると遊技者に対して特典を付与する遊技制御手段と、
表示演出が行われる表示手段と、
音を可聴出力する音出力手段と、
操作によって検出可能とされる検出手段と、
前記図柄変動の実行期間中、前記表示手段における表示演出の進展に応じて前記音出力手段によって音を可聴出力させる音制御手段と、
前記表示手段における表示演出が所定タイミングになると、所定の演出受付期間を発生させる受付期間発生手段と
を備え、
前記所定の演出受付期間は、非抑制態様で可聴出力されている特定ＢＧＭが抑制態様で可聴出力される状態または可聴出力されない状態になってから発生可能とされるものであり、
さらに、
前記特定ＢＧＭが抑制態様で可聴出力される状態または可聴出力されない状態においては、該特定ＢＧＭとは異なる所定演出音が、非抑制態様で可聴出力可能とされており、
さらに、
前記所定の演出受付期間中、前記特定ＢＧＭが抑制態様で可聴出力される状態または可聴出力されない状態にあり、且つ前記所定演出音が非抑制態様で可聴出力されている状態で前記検出手段による検出があると、該検出に基づいて、前記所定演出音の可聴出力を終了させて、前記図柄変動にて所定の表示態様が現れる期待度を示唆する特別演出音を非抑制態様で可聴出力させうるようになっており、
さらに、
前記所定の演出受付期間内のいずれのタイミングで前記検出手段による検出があったかに応じて、前記特別演出音の可聴出力が終了されるタイミングが異なる
ことを特徴とする遊技機。
【手続補正２】
【補正対象書類名】明細書
【補正対象項目名】０００５
【補正方法】変更
【補正の内容】
【０００５】
しかしながら、このような遊技機では、遊技興趣の低下が懸念される。
【手続補正３】
【補正対象書類名】明細書
【補正対象項目名】０００６
【補正方法】変更
【補正の内容】
【０００６】
本発明は、こうした実情に鑑みてなされたものであり、遊技興趣の低下が抑制されうる遊技機を提供することを目的とする。
【手続補正４】
【補正対象書類名】明細書
【補正対象項目名】０００７
【補正方法】変更
【補正の内容】
【０００７】
手段１：図柄変動にて所定の表示態様が現れると遊技者に対して特典を付与する遊技制御手段と、
表示演出が行われる表示手段と、
音を可聴出力する音出力手段と、
操作によって検出可能とされる検出手段と、
前記図柄変動の実行期間中、前記表示手段における表示演出の進展に応じて前記音出力手段によって音を可聴出力させる音制御手段と、
前記表示手段における表示演出が所定タイミングになると、所定の演出受付期間を発生させる受付期間発生手段と
を備え、
前記所定の演出受付期間は、非抑制態様で可聴出力されている特定ＢＧＭが抑制態様で可聴出力される状態または可聴出力されない状態になってから発生可能とされるものであり、
さらに、
前記特定ＢＧＭが抑制態様で可聴出力される状態または可聴出力されない状態においては、該特定ＢＧＭとは異なる所定演出音が、非抑制態様で可聴出力可能とされており、
さらに、
前記所定の演出受付期間中、前記特定ＢＧＭが抑制態様で可聴出力される状態または可聴出力されない状態にあり、且つ前記所定演出音が非抑制態様で可聴出力されている状態で前記検出手段による検出があると、該検出に基づいて、前記所定演出音の可聴出力を終了させて、前記図柄変動にて所定の表示態様が現れる期待度を示唆する特別演出音を非抑制態様で可聴出力させうるようになっており、
さらに、
前記所定の演出受付期間内のいずれのタイミングで前記検出手段による検出があったかに応じて、前記特別演出音の可聴出力が終了されるタイミングが異なる
ことを特徴とする遊技機。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
遊技領域内の入賞領域への遊技媒体の入賞を契機に取得可能な始動情報を所定数まで記憶可能な始動情報記憶手段と、
前記始動情報を始動記憶表示として表示装置に表示可能な始動記憶表示手段と、
前記始動情報に基づいて抽選遊技を実行可能な抽選遊技実行手段と、
前記始動情報に基づいて前記抽選遊技が特定結果を導出する期待度を当該抽選遊技の実行前に判定可能な事前判定手段と、
前記始動記憶表示において前記事前判定手段によって判定された前記期待度を複数の報知態様によって段階的に報知可能な期待度報知手段と、
前記抽選遊技を実行する始動情報を消化記憶表示として前記表示装置の前記始動記憶表示とは異なる領域に表示可能な消化記憶表示手段と、
前記抽選遊技の実行開始時及び実行終了時における前記消化記憶表示の表示態様をそれぞれ設定可能な表示態様設定手段と、を備え、
前記始動記憶表示の表示態様は、前記始動情報に基づく態様で表示が開始され、所定の始動記憶表示変化タイミングで段階的に表示態様を前記報知態様に変化可能とされており、
前記消化記憶表示の表示態様は、前記抽選遊技の実行開始直前の前記始動記憶表示の表示態様で開始され、当該抽選遊技を実行する過程において前記表示態様設定手段によって設定された当該抽選遊技の実行終了時の表示態様となるまで所定条件が成立するたびに段階的に変化可能に構成され、
前記始動記憶表示が表示されてから前記抽選遊技の実行が終了するまでの前記始動記憶表示及び前記消化記憶表示による一連の表示態様は、前記始動記憶表示が表示されてから前記抽選遊技の実行が終了するまで段階的に変化し、前記抽選遊技の実行開始時及び実行終了時には、前記表示態様設定手段によってあらかじめ設定された表示態様に設定されることを特徴とする遊技機。
【手続補正２】
【補正対象書類名】明細書
【補正対象項目名】０００６
【補正方法】変更
【補正の内容】
【０００６】
本発明の遊技機の代表的な一形態では、遊技領域内の入賞領域への遊技媒体の入賞を契機に取得可能な始動情報を所定数まで記憶可能な始動情報記憶手段と、前記始動情報を始動記憶表示として表示装置に表示可能な始動記憶表示手段と、前記始動情報に基づいて抽選遊技を実行可能な抽選遊技実行手段と、前記始動情報に基づいて前記抽選遊技が特定結果を導出する期待度を当該抽選遊技の実行前に判定可能な事前判定手段と、前記始動記憶表示において前記事前判定手段によって判定された前記期待度を複数の報知態様によって段階的に報知可能な期待度報知手段と、前記抽選遊技を実行する始動情報を消化記憶表示として前記表示装置の前記始動記憶表示とは異なる領域に表示可能な消化記憶表示手段と、前記抽選遊技の実行開始時及び実行終了時における前記消化記憶表示の表示態様をそれぞれ設定可能な表示態様設定手段と、を備え、前記始動記憶表示の表示態様は、前記始動情報に基づく態様で表示が開始され、所定の始動記憶表示変化タイミングで段階的に表示態様を前記報知態様に変化可能とされており、前記消化記憶表示の表示態様は、前記抽選遊技の実行開始直前の前記始動記憶表示の表示態様で開始され、当該抽選遊技を実行する過程において前記表示態様設定手段によって設定された当該抽選遊技の実行終了時の表示態様となるまで所定条件が成立するたびに段階的に変化可能に構成され、前記始動記憶表示が表示されてから前記抽選遊技の実行が終了するまでの前記始動記憶表示及び前記消化記憶表示による一連の表示態様は、前記始動記憶表示が表示されてから前記抽選遊技の実行が終了するまで段階的に変化し、前記抽選遊技の実行開始時及び実行終了時には、前記表示態様設定手段によってあらかじめ設定された表示態様に設定されることを特徴とする。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
図柄変動にて所定の表示態様が現れると遊技者に対して特典を付与する遊技制御手段と、
表示演出が行われる表示手段と、
音を可聴出力する音出力手段と、
操作によって検出可能とされる検出手段と、
前記図柄変動の実行期間中、前記表示手段における表示演出の進展に応じて前記音出力手段によって音を可聴出力させる音制御手段と、
前記表示手段における表示演出が所定タイミングになると、所定の演出受付期間を発生させる受付期間発生手段と
を備え、
前記所定の演出受付期間は、非抑制態様で可聴出力されている特定ＢＧＭが抑制態様で可聴出力される状態または可聴出力されない状態になってから発生可能とされるものであり、
さらに、
前記特定ＢＧＭが抑制態様で可聴出力される状態または可聴出力されない状態においては、該特定ＢＧＭとは異なる所定演出音が、非抑制態様で可聴出力可能とされており、
さらに、
前記所定の演出受付期間中、前記特定ＢＧＭが抑制態様で可聴出力される状態または可聴出力されない状態にあり、且つ前記所定演出音が非抑制態様で可聴出力されている状態で前記検出手段による検出があると、該検出に基づいて、前記所定演出音の可聴出力を終了させて、前記図柄変動にて所定の表示態様が現れる期待度を示唆する特別演出音を非抑制態様で可聴出力させうるようになっており、
さらに、
当該遊技機の状態を判定する状態判定手段と、
当該遊技機が特定の状態になったことが前記状態判定手段により判定された場合、複数種類の報知音のうち特定の報知音を可聴出力させる報知音出力手段と、
音量設定値の変更を受け付ける音量設定値受付手段と、
前記音量設定値受付手段による音量設定値に基づいて音量を調整可能な音量調整手段と
を備え、
前記音量設定値の変更が受け付けられて音量が調整されると該調整された音量で音量調整確認音が可聴出力されうるが、前記特定の報知音が可聴出力されている状態において音量設定値の変更が受け付けられたときには前記音量調整確認音は可聴出力されない
ことを特徴とする遊技機。
【手続補正２】
【補正対象書類名】明細書
【補正対象項目名】０００５
【補正方法】変更
【補正の内容】
【０００５】
しかしながら、このような遊技機では、遊技興趣の低下が懸念される。
【手続補正３】
【補正対象書類名】明細書
【補正対象項目名】０００６
【補正方法】変更
【補正の内容】
【０００６】
本発明は、こうした実情に鑑みてなされたものであり、遊技興趣の低下が抑制されうる遊技機を提供することを目的とする。
【手続補正４】
【補正対象書類名】明細書
【補正対象項目名】０００７
【補正方法】変更
【補正の内容】
【０００７】
手段１：図柄変動にて所定の表示態様が現れると遊技者に対して特典を付与する遊技制御手段と、
表示演出が行われる表示手段と、
音を可聴出力する音出力手段と、
操作によって検出可能とされる検出手段と、
前記図柄変動の実行期間中、前記表示手段における表示演出の進展に応じて前記音出力手段によって音を可聴出力させる音制御手段と、
前記表示手段における表示演出が所定タイミングになると、所定の演出受付期間を発生させる受付期間発生手段と
を備え、
前記所定の演出受付期間は、非抑制態様で可聴出力されている特定ＢＧＭが抑制態様で可聴出力される状態または可聴出力されない状態になってから発生可能とされるものであり、
さらに、
前記特定ＢＧＭが抑制態様で可聴出力される状態または可聴出力されない状態においては、該特定ＢＧＭとは異なる所定演出音が、非抑制態様で可聴出力可能とされており、
さらに、
前記所定の演出受付期間中、前記特定ＢＧＭが抑制態様で可聴出力される状態または可聴出力されない状態にあり、且つ前記所定演出音が非抑制態様で可聴出力されている状態で前記検出手段による検出があると、該検出に基づいて、前記所定演出音の可聴出力を終了させて、前記図柄変動にて所定の表示態様が現れる期待度を示唆する特別演出音を非抑制態様で可聴出力させうるようになっており、
さらに、
当該遊技機の状態を判定する状態判定手段と、
当該遊技機が特定の状態になったことが前記状態判定手段により判定された場合、複数種類の報知音のうち特定の報知音を可聴出力させる報知音出力手段と、
音量設定値の変更を受け付ける音量設定値受付手段と、
前記音量設定値受付手段による音量設定値に基づいて音量を調整可能な音量調整手段と
を備え、
前記音量設定値の変更が受け付けられて音量が調整されると該調整された音量で音量調整確認音が可聴出力されうるが、前記特定の報知音が可聴出力されている状態において音量設定値の変更が受け付けられたときには前記音量調整確認音は可聴出力されない
ことを特徴とする遊技機。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御および前記第２制御において演算処理を行う際にデータを記憶するレジスタと、
前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、
前記制御装置が、該制御装置の外部の装置にデータの出力を行うものであって、前記第２制御において更新され、前記第１制御においては更新されない第２出力ポートと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備え、
前記第１制御領域は、少なくとも、メインルーチンと、前記メインルーチンから呼び出されるサブルーチンを含む、前記第１制御プログラムを記憶し、
前記第２制御領域は、前記第１制御プログラムに呼び出されることにより実行され、終了後に前記第１制御プログラムに復帰させ、また、前記サブルーチンを呼び出すことのない前記第２制御プログラムのみを記憶するとともに、前記外部の装置のうちの１つである試験装置に信号を出力するための処理の少なくとも一部を構成する前記第２制御プログラムを記憶し、
前記第２制御プログラムは、前記第１制御プログラムにより呼び出されることに応じて、前記第１制御における演算処理によるデータが記憶された前記レジスタの値を保護し、前記第２制御プログラムに応じた前記第２制御によって、前記試験装置に信号を出力するため、前記第２出力ポートを更新する、
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御および前記第２制御において演算処理を行う際にデータを記憶するレジスタと、前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、前記制御装置が、該制御装置の外部の装置にデータの出力を行うものであって、前記第２制御において更新され、前記第１制御においては更新されない第２出力ポートと、前記第１制御領域および前記第２制御領域を有する単一の制御領域記憶手段と、前記第１ＲＷＭ領域および前記第２ＲＷＭ領域を有する単一のＲＷＭ領域記憶手段と、を備え、
前記第１制御領域は、少なくとも、メインルーチンと、前記メインルーチンから呼び出されるサブルーチンを含む、前記第１制御プログラムを記憶し、前記第２制御領域は、前記第１制御プログラムに呼び出されることにより実行され、終了後に前記第１制御プログラムに復帰させ、また、前記サブルーチンを呼び出すことのない前記第２制御プログラムのみを記憶するとともに、前記外部の装置のうちの１つである試験装置に信号を出力するための処理の少なくとも一部を構成する前記第２制御プログラムを記憶し、前記第２制御プログラムは、前記第１制御プログラムにより呼び出されることに応じて、前記第１制御における演算処理によるデータが記憶された前記レジスタの値を保護し、前記第２制御プログラムに応じた前記第２制御によって、前記試験装置に信号を出力するため、前記第２出力ポートを更新する、ことを特徴とする。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御および前記第２制御において演算処理を行う際にデータを記憶するレジスタと、
前記レジスタの値を一時退避し、記憶する退避用記憶領域と、
前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、
前記制御装置が、該制御装置の外部の装置にデータの出力を行うものであって、前記第２制御において更新され、前記第１制御においては更新されない第２出力ポートと、
前記制御装置が、該制御装置の外部の装置からデータの入力を行うものであって、前記第１制御において参照され、前記第２制御においては参照されない入力ポートと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備え、
前記第２制御領域は、前記第１制御プログラムに呼び出されることにより実行され、終了後に前記第１制御プログラムに復帰させる前記第２制御プログラムを記憶し、
前記第１制御領域または前記第２制御領域は、前記第１制御プログラムにより前記第２制御プログラムが呼び出されることに応じて、前記第１制御における演算処理によるデータが格納された前記レジスタの値を前記退避用記憶領域に退避させた後に前記レジスタをクリアする前記第１制御プログラムまたは前記第２制御プログラムを記憶する
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御および前記第２制御において演算処理を行う際にデータを記憶するレジスタと、前記レジスタの値を一時退避し、記憶する退避用記憶領域と、前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、前記制御装置が、該制御装置の外部の装置にデータの出力を行うものであって、前記第２制御において更新され、前記第１制御においては更新されない第２出力ポートと、前記制御装置が、該制御装置の外部の装置からデータの入力を行うものであって、前記第１制御において参照され、前記第２制御においては参照されない入力ポートと、前記第１制御領域および前記第２制御領域を有する単一の制御領域記憶手段と、前記第１ＲＷＭ領域および前記第２ＲＷＭ領域を有する単一のＲＷＭ領域記憶手段と、を備え、
前記第２制御領域は、前記第１制御プログラムに呼び出されることにより実行され、終了後に前記第１制御プログラムに復帰させる前記第２制御プログラムを記憶し、前記第１制御領域または前記第２制御領域は、前記第１制御プログラムにより前記第２制御プログラムが呼び出されることに応じて、前記第１制御における演算処理によるデータが格納された前記レジスタの値を前記退避用記憶領域に退避させた後に前記レジスタをクリアする前記第１制御プログラムまたは前記第２制御プログラムを記憶することを特徴とする。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
ベッド上の被験者の呼吸波形を描画する呼吸波形描画システムであって、
ベッド又はベッドの脚下に設けられ、被験者の荷重を検出し荷重信号として出力する複数の荷重検出器と、
前記荷重信号の周波数スペクトルに基づいてベッド上の被験者の数を判定する被験者数判定部と、
ベッド上の被験者の数が複数であると判定された場合、各被験者の荷重成分を、各荷重検出器から出力された荷重信号ごとに分離する波形分離部と、
前記分離された荷重成分に基づいて、各被験者の重心位置を算出する重心位置算出部と、
各被験者の重心位置の時間的変動に基づいて各被験者の呼吸波形を描画する波形描画部とを備える呼吸波形描画システム。
【請求項２】
前記被験者数判定部は、前記荷重信号の周波数スペクトルに現れるピーク周波数の数をベッド上の被験者の数と判定する請求項１に記載の呼吸波形描画システム。
【請求項３】
各被験者の呼吸波形の振動原点及び振動軸を設定する振動座標設定部をさらに備え、
前記振動座標設定部は、各被験者ごとに、ある時刻における重心位置を初期原点として、該初期原点から変位する重心位置と該初期原点との間の距離が最大となる位置である第１極値点を求め、前記初期原点の第１極値点と反対側に現れ且つ第１極値点から変位する重心位置と前記初期原点との間の距離が最大になる位置である第２極値点を求め、第１極値点と第２極値点とを結ぶ方向を仮振動軸と設定し、第１極値点と第２極値点の中点を仮振動原点と設定し、
前記波形描画部は、前記仮振動軸上に投影した重心位置の前記仮振動原点からの変位を時間に対して表すことによって、各被験者の呼吸波形を描画する請求項１又は２に記載の呼吸波形描画システム。
【請求項４】
各被験者の呼吸波形の描画状態を補償する描画補償部をさらに備え、
前記描画補償部は、各被験者ごとに過去の呼吸波形に基づいて予測波形を生成する予測波形生成部と、各被験者ごとに所定のサンプリング時刻における呼吸波形と予測波形との間の距離を算出する補正距離算出部とを備え、各被験者の呼吸波形の描画状態を前記距離に応じて補償する請求項１〜３のいずれか一項に記載の呼吸波形描画システム。
【請求項５】
ベッド上の被験者の生体情報をモニタリングする生体情報モニタリングシステムであって、
ベッド又はベッドの脚下に設けられ、被験者の荷重を検出し荷重信号として出力する複数の荷重検出器と、
前記荷重信号の周波数スペクトルに基づいてベッド上の被験者の数を判定する被験者数判定部と、
ベッド上の被験者の数が複数であると判定された場合、各被験者の荷重成分を、各荷重検出器から出力された荷重信号ごとに分離する波形分離部とを備え、
前記分離された荷重成分は、各被験者の生体情報をモニタリングするのに供される生体情報モニタリングシステム。
【請求項６】
各被験者の生体情報として、各被験者の心拍を表す波形がモニタリングされる請求項５に記載の生体情報モニタリングシステム。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
ベッド上の被験者の呼吸波形を描画する呼吸波形描画システムであって、
ベッド又はベッドの脚下に設けられ、被験者の荷重を検出する複数の荷重検出器と、
前記被験者の荷重に基づいて被験者の重心位置を求める重心位置算出部と、
ある時刻の重心位置を初期原点として、該初期原点から変位する重心位置と該初期原点との間の距離が最大となる位置である第１極値点を求め、前記初期原点の第１極値点と反対側に現れ且つ第１極値点から変位する重心位置と前記初期原点との間の距離が最大になる位置である第２極値点を求め、第１極値点と第２極値点とを結ぶ方向を仮振動軸と設定し、第１極値点と第２極値点の中点を仮振動原点と設定する振動座標設定部と、
前記仮振動軸上に投影した重心位置の前記仮振動原点からの変位を時間に対して表すことによって前記呼吸波形を描画する波形描画部とを備える呼吸波形描画システム。
【請求項２】
前記振動座標設定部は、前記仮振動原点の第２極値点と反対側に現れ且つ第２極値点から変位する重心位置と前記仮振動原点との間の距離が最大になる位置である第３極値点を求め、第２極値点と第３極値点とを結ぶ方向を新たな仮振動軸と設定し、第２極値点と第３極値点の中点を新たな仮振動原点と設定し、
前記波形描画部は、前記新たな仮振動軸上に投影した重心位置の前記新たな仮振動原点からの変位を時間に対して表すことによって前記呼吸波形を描画する請求項１に記載の呼吸波形描画システム。
【請求項３】
前記振動座標設定部は、前記初期原点と前記仮振動原点との離間距離を所定値と比較し、該離間距離が前記所定値を超えている場合に、前記新たな仮振動軸及び新たな仮振動原点の設定を行う請求項２に記載の呼吸波形描画システム。
【請求項４】
前記振動座標設定部は、前記仮振動原点と前記新たな仮振動原点との離間距離を所定値と比較し、該離間距離が前記所定値を超えている場合に、前記新たな仮振動原点の第３極値点と反対側に現れ且つ第３極値点から変位する重心位置と前記新たな仮振動原点との間の距離が最大になる位置である第４極値点を求め、第３極値点と第４極値点とを結ぶ方向を更に新たな仮振動軸と設定し、第３極値点と第４極値点の中点を更に新たな仮振動原点と設定し、
前記波形描画部は、前記更に新たな仮振動軸上に投影した重心位置の前記更に新たな仮振動原点からの変位を時間に対して表すことによって前記呼吸波形を描画する請求項２又は３に記載の呼吸波形描画システム。
【請求項５】
前記波形描画部は、前記重心位置が第１極値点に至るまでは、前記初期原点と前記重心位置との間の距離を時間に対して表示することで前記呼吸波形を描画する請求項１〜４のいずれか一項に記載の呼吸波形描画システム。
【請求項６】
前記初期原点は、被験者の体動がなくなった時点における前記重心位置である請求項１〜５のいずれか一項に記載の呼吸波形描画システム。
【請求項７】
前記呼吸波形の描画状態を補償する描画補償部を更に備え、
前記描画補償部は、過去の呼吸波形に基づいて被験者の前記呼吸波形の予測波形を生成する予測波形生成部と、所定のサンプリング時刻における、前記呼吸波形と前記予測波形との間の波形間距離を算出する補正距離算出部とを備え、前記波形間距離に応じて前記呼吸波形の描画状態を補償する請求項１〜６のいずれか一項に記載の呼吸波形描画システム。
【請求項８】
前記描画補償部は、前記波形間距離が所定の範囲内であるか判断し、
前記波形間距離が前記所定の範囲内である場合、前記描画補償部は、前記呼吸波形を前記波形間距離だけ前記予測波形側にオフセットさせる請求項７に記載の呼吸波形描画システム。
【手続補正書】
【提出日】平成29年12月1日(2017.12.1)
【手続補正１】
【補正対象書類名】特許請求の範囲
【補正対象項目名】請求項１
【補正方法】変更
【補正の内容】
【請求項１】
有底筒状に形成されたヨークと、
前記ヨークの内周面に固定された４極のマグネットと、
前記ヨークに回転自在に収容されたアーマチュアと、を備え、
前記アーマチュアは、前記ヨークに回転自在に支持されたアーマチュア軸と、前記アーマチュア軸に固定され、前記マグネットに対して所定の隙間を介して配置されたアーマチュアコアと、前記アーマチュアコアに巻装されたアーマチュアコイルと、前記アーマチュア軸に固定されたコンミテータと、
を有するモータ部と、
前記ヨークの開口側に固定されたギヤケースと、
前記ギヤケースに収容され、前記アーマチュア軸の回転を減速する減速機構と、
を有する減速機構部と、
略平行な一対の平坦部および前記平坦部に連なる円弧部を備えるベースと、
前記ベースに一体に設けられ、天壁と一対の側壁とを備えたトンネル形状に形成された一対のブラシホルダと、
前記ブラシホルダに摺動自在に保持されるとともに前記コンミテータに摺接するブラシと、
前記アーマチュア軸の軸方向に延び、前記ブラシホルダに近接して前記ベースに一体に設けられた支柱と、
前記支柱が挿通されるコイル本体と、前記コイル本体の一端側を形成するコイル基端部と、前記コイル本体の他端側を形成し所定の曲率半径に設定された先端曲部とを備えた捩りコイルバネと、
を有する給電ユニットと、
を備えた正逆回転可能な減速機構付モータであって、
前記ベースおよび前記ブラシホルダは射出成形品であり、
前記ブラシは、
前記アーマチュア軸の径方向外側に配置される基端部と、
前記基端部に一体に設けられ、かつ前記基端部よりも前記アーマチュア軸の径方向内側に配置される先端部と、
を有し、
前記アーマチュア軸の軸方向に沿い、前記天壁と対向する前記基端部の一側面には、導電線が電気的に接続され、
前記アーマチュア軸の回転方向に沿う前記先端部の両側面の間隔が、前記アーマチュア軸の回転方向に沿う前記基端部の両側面の間隔よりも幅狭となるよう形成され、
前記アーマチュア軸の回転方向に沿う前記ブラシの両側面で、かつ前記基端部と前記先端部との間には、それぞれテーパ面が設けられ、
前記アーマチュア軸の軸方向に沿い、前記天壁と対向する前記先端部の一側面の周囲および前記基端部の一側面の周囲と、前記ブラシの前記天壁と対向する一側面における前記テーパ面に対応した箇所の周囲には、前記ブラシの両側面に向けて傾斜された傾斜面が設けられ、
一対の前記ブラシホルダは、前記アーマチュア軸の回転方向に互いに９０度ずれて配置され、
それぞれの前記ブラシホルダは、
前記アーマチュア軸の径方向に沿う外側から内側に向けて前記天壁に形成され、前記導電線を案内する案内溝と、
前記アーマチュア軸の径方向に沿う外側から内側に向けて前記案内溝と平行に前記側壁の一方に形成され、前記捩りコイルバネの先端曲部を案内するバネ用スリットと、
前記アーマチュア軸の回転方向に沿う前記基端部の両側を支持する一対の基端側支持部と、
前記アーマチュア軸の回転方向に沿う前記先端部の両側を支持する一対の先端側支持部と、
を有し、
前記アーマチュア軸の径方向に沿う前記先端部の長さ寸法は、前記アーマチュア軸の径方向に沿う前記先端側支持部の長さ寸法よりも長く形成され、
前記アーマチュア軸の径方向に沿う前記基端部の長さ寸法は、前記アーマチュア軸の径方向に沿う前記基端側支持部の長さ寸法よりも短く形成されていることを特徴とする減速機構付モータ。
【手続補正２】
【補正対象書類名】明細書
【補正対象項目名】００１０
【補正方法】変更
【補正の内容】
【００１０】
本発明の減速機構付モータは、有底筒状に形成されたヨークと、前記ヨークの内周面に固定された４極のマグネットと、前記ヨークに回転自在に収容されたアーマチュアと、を備え、前記アーマチュアは、前記ヨークに回転自在に支持されたアーマチュア軸と、前記アーマチュア軸に固定され、前記マグネットに対して所定の隙間を介して配置されたアーマチュアコアと、前記アーマチュアコアに巻装されたアーマチュアコイルと、前記アーマチュア軸に固定されたコンミテータと、を有するモータ部と、前記ヨークの開口側に固定されたギヤケースと、前記ギヤケースに収容され、前記アーマチュア軸の回転を減速する減速機構と、を有する減速機構部と、略平行な一対の平坦部および前記平坦部に連なる円弧部を備えるベースと、前記ベースに一体に設けられ、天壁と一対の側壁とを備えたトンネル形状に形成された一対のブラシホルダと、前記ブラシホルダに摺動自在に保持されるとともに前記コンミテータに摺接するブラシと、前記アーマチュア軸の軸方向に延び、前記ブラシホルダに近接して前記ベースに一体に設けられた支柱と、前記支柱が挿通されるコイル本体と、前記コイル本体の一端側を形成するコイル基端部と、前記コイル本体の他端側を形成し所定の曲率半径に設定された先端曲部とを備えた捩りコイルバネと、を有する給電ユニットと、を備えた正逆回転可能な減速機構付モータであって、前記ベースおよび前記ブラシホルダは射出成形品であり、前記ブラシは、前記アーマチュア軸の径方向外側に配置される基端部と、前記基端部に一体に設けられ、かつ前記基端部よりも前記アーマチュア軸の径方向内側に配置される先端部と、を有し、前記アーマチュア軸の軸方向に沿い、前記天壁と対向する前記基端部の一側面には、導電線が電気的に接続され、前記アーマチュア軸の回転方向に沿う前記先端部の両側面の間隔が、前記アーマチュア軸の回転方向に沿う前記基端部の両側面の間隔よりも幅狭となるよう形成され、前記アーマチュア軸の回転方向に沿う前記ブラシの両側面で、かつ前記基端部と前記先端部との間には、それぞれテーパ面が設けられ、前記アーマチュア軸の軸方向に沿い、前記天壁と対向する前記先端部の一側面の周囲および前記基端部の一側面の周囲と、前記ブラシの前記天壁と対向する一側面における前記テーパ面に対応した箇所の周囲には、前記ブラシの両側面に向けて傾斜された傾斜面が設けられ、一対の前記ブラシホルダは、前記アーマチュア軸の回転方向に互いに９０度ずれて配置され、それぞれの前記ブラシホルダは、前記アーマチュア軸の径方向に沿う外側から内側に向けて前記天壁に形成され、前記導電線を案内する案内溝と、前記アーマチュア軸の径方向に沿う外側から内側に向けて前記案内溝と平行に前記側壁の一方に形成され、前記捩りコイルバネの先端曲部を案内するバネ用スリットと、前記アーマチュア軸の回転方向に沿う前記基端部の両側を支持する一対の基端側支持部と、前記アーマチュア軸の回転方向に沿う前記先端部の両側を支持する一対の先端側支持部と、を有し、前記アーマチュア軸の径方向に沿う前記先端部の長さ寸法は、前記アーマチュア軸の径方向に沿う前記先端側支持部の長さ寸法よりも長く形成され、前記アーマチュア軸の径方向に沿う前記基端部の長さ寸法は、前記アーマチュア軸の径方向に沿う前記基端側支持部の長さ寸法よりも短く形成されていることを特徴とする。
【手続補正書】
【提出日】平成30年9月12日(2018.9.12)
【手続補正１】
【補正対象書類名】明細書
【補正対象項目名】００６８
【補正方法】変更
【補正の内容】
【００６８】
液体吐出ヘッド５６Ｃ、５６Ｍ、５６Ｙ、５６Ｋによって画像が形成された用紙Ｓから、インラインセンサ５８の読取領域において、インラインセンサ５８によって画像が読み取られる。
【手続補正２】
【補正対象書類名】明細書
【補正対象項目名】００９５
【補正方法】変更
【補正の内容】
【００９５】
ヘッド支持フレーム９０は、図示されないガイドレールにガイドされて、描画胴５２の回転軸５２Ｂの軸方向と平行にスライド移動自在に設けられている。すなわち、図示されないヘッド支持フレーム移動機構は、ヘッド支持フレーム９０を用紙搬送方向に対して直交する方向に水平にスライド移動させる。ヘッド支持フレーム移動機構は、例えば、用紙搬送機構を跨いで水平に設置される天井フレームと、その天井フレームに敷設されるガイドレールと、ガイドレール上をスライド移動する走行体と、その走行体をガイドレールに沿って移動させる駆動手段と、を含んで構成される。ここでの駆動手段として採用し得るリニア駆動機構の一例として、送りネジ機構などを挙げることができる。ヘッド支持フレーム９０は走行体に取り付けられ、ガイドレールに沿って水平にスライド移動する。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
下端部に吸込口が設けられると共に側部に吐出口が設けられたハウジング内に回転自在に支承された樹脂製の回転羽根を収容した排水ポンプであって、
前記回転羽根は、
円柱状の軸部と、
当該軸部の下方に位置する複数の放射状の小径羽根と、
当該小径羽根の上方に連続してなる複数の大径羽根と、
前記複数の大径羽根の間に夫々設けられた複数の補助羽根と、
前記軸部の側面に向けてテーパーをつけて延設する環状部と、
を備え、
前記複数の大径羽根と前記複数の補助羽根は、前記環状部から上方に立設されており、
前記環状部には、最外周から最内周の間の何れかの位置に、前記回転羽根を成形する際に樹脂の流動性を確保するための板厚部を設けることを特徴とする排水ポンプ。
【請求項２】
前記板厚部は、前記環状部の最内周部に設けられることを特徴とする請求項１記載の排水ポンプ。
【請求項３】
前記環状部の最外周から最内周までの距離をａとして、
前記板厚部は、前記環状部の最内周からａ／２よりも内側の位置に設けられることを特徴とする請求項１記載の排水ポンプ。
【請求項４】
前記環状部の内周部を板厚部とし、前記環状部の外周部に向けて薄肉としたことを特徴とする請求項１記載の排水ポンプ。
【請求項５】
前記板厚部は、斜面または曲面により構成されたことを特徴とする請求項１乃至４の何れか一項に記載の排水ポンプ。
【手続補正２】
【補正対象書類名】明細書
【補正対象項目名】００１４
【補正方法】変更
【補正の内容】
【００１４】
上記の課題を解決するため、本発明による排水ポンプは、下端部に吸込口が設けられると共に側部に吐出口が設けられたハウジング内に回転自在に支承された樹脂製の回転羽根を収容した排水ポンプであって、前記回転羽根は、円柱状の軸部と、当該軸部の下方に位置する複数の放射状の小径羽根と、当該小径羽根の上方に連続してなる複数の大径羽根と、前記複数の大径羽根の間に夫々設けられた複数の補助羽根と前記軸部の側面に向けてテーパーをつけて延設する環状部と、を備え、前記複数の大径羽根と前記複数の補助羽根は、前記環状部から上方に立設されており、前記環状部には、最外周から最内周の間の何れかの位置に、前記回転羽根を成形する際に樹脂の流動性を確保するための板厚部を設けることを特徴とする。
【手続補正３】
【補正対象書類名】明細書
【補正対象項目名】００１５
【補正方法】変更
【補正の内容】
【００１５】
本発明による排水ポンプにおいては、前記板厚部は、前記環状部の最内周部に設けられることを特徴とする。
【手続補正４】
【補正対象書類名】明細書
【補正対象項目名】００１６
【補正方法】変更
【補正の内容】
【００１６】
本発明による排水ポンプにおいては、前記環状部の最外周から最内周までの距離をａとして、前記板厚部は、前記環状部の最内周からａ／２よりも内側の位置に設けられることを特徴とする。
【手続補正５】
【補正対象書類名】明細書
【補正対象項目名】００１７
【補正方法】変更
【補正の内容】
【００１７】
本発明による排水ポンプにおいては、前記環状部の内周部を板厚部とし、前記環状部の外周部に向けて薄肉としたことを特徴とする。
【手続補正６】
【補正対象書類名】明細書
【補正対象項目名】００１８
【補正方法】変更
【補正の内容】
【００１８】
本発明の排水ポンプによれば、回転羽根を構成する環状部の適宜位置に板厚部を設けることで、溶融樹脂を金型内に射出する際、通常溶融樹脂が到達しづらい箇所に対しても、溶融樹脂の流れを良くして均一性の高い射出完了が可能となり、温度差による回転羽根にヒケが生じることを防止し、設計に準じた形状の回転羽根を具備する排水ポンプの提供を可能とするものである。この効果は、大径羽根と補助羽根を環状部に立設した構造の排水ポンプにとって有効であり、特に、回転羽根の下方、即ち小径羽根の下方側にゲートを設けた金型により成形する場合において顕著である。